(57)【特許請求の範囲】
【請求項１】
透液性トップシートと、不透液性バックシートとの間に吸収体が介在され、かつ表面側両側部に弾性伸縮部材による収縮力によって表面側に起立する立体ギャザーが形成されるとともに、両側部にそれぞれウイング状フラップが形成された吸収性物品において、
前記立体ギャザーは、起立基端部から外方側に向かって起立し、中間部で内方側に向けて屈曲する略く字状の起立断面を成し、前記ウイング状フラップは、前記立体ギャザーの起立面外側であってかつ前記中間部屈曲点若しくはその近傍を基点として設けられていることを特徴とする吸収性物品。
【請求項２】
前記立体ギャザーの弾性伸縮部材は、前記ウイング状フラップの基点位置若しくはその近傍位置に配設されているとともに、ウイング状フラップの基点位置よりも先端部側に少なくとも１以上配設されている請求項１記載の吸収性物品。
【請求項３】
前記ウイング状フラップの基端部分に、吸収性物品長手方向に沿うエンボスが付与されている請求項１〜２いずれかに記載の吸収性物品。
【請求項４】
前記吸収性物品は製品状態において、前記ウイング状フラップの外面側に形成された粘着剤層を覆う剥離シートを仮着したまま、剥離シートと共にウイング状フラップがそれぞれ非肌当接面側に折り返された状態で包装材によって個装されている請求項１〜３いずれかに記載の吸収性物品。
【発明の詳細な説明】
【０００１】
【発明の属する技術分野】
本発明は、経血やおりものなどを吸収するための生理用ナプキン、パンティライナー、失禁パッド等の吸収性物品に係り、詳しくは装着状態時に立体ギャザーが内倒れしないようにしっかりと保持するようにした吸収性物品に関する。
【０００２】
【従来の技術】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ種々の工夫が成されている。例えば、図８および図９に示される吸収性物品（生理用ナプキン５０）では、ポリエチレンシートなどからなる不透液性バックシート５２と、経血等を速やかに透過させる透液性トップシート５３と、これら両シート５２，５３間に介装された綿状パルプまたは合成パルプなどからなる吸収体５４と、表面がわ両側部に設けられた左右一対の立体ギャザーＢＳ、ＢＳとから主に構成され、前記吸収体５４の周囲においては、その前後端縁部では前記不透液性バックシート５２と透液性トップシート５３との外縁部がホットメルトなどの接着剤やヒートシール等の接着手段によって接合され、またその両側部（サイドフラップ部分）では吸収体５４よりも側方に延出している前記不透液性バックシート５２と、前記立体ギャザーＢＳを形成しているサイド不織布５５とがホットメルトなどの接着剤やヒートシール等の接着手段によって接合され、これら不透液性バックシート５２とサイド不織布５５とによる積層シート部分によって側方に突出するウイング状フラップＷ、Ｗが形成されているとともに、これよりも後側部分にヒップホールド用フラップＨＦ、ＨＦが形成された構造となっている。前記生理用ナプキン５０の裏面側（非肌当接面側）には図９に示されるように複数条の粘着剤層５６，５６…が設けられ、製品状態では、前記ウイング状フラップＷ、Ｗおよびヒップホールド用フラップＨＦ、ＨＦの裏面側にはそれぞれ粘着剤層５７…、５８…が設けられ、製品状態ではこれら粘着剤層５７…、５８…にはそれぞれ幅方向に横断する剥離紙５９が仮着されている。
【０００４】
前記立体ギャザーＢＳは、体液を堰き止め横漏れを防止するためのものであり、前記ウイング状フラップＷ、Ｗは該生理用ナプキン５０をショーツにきっちりと固定するためのものである。また、前記ヒップホールド用フラップＨＦ、ＨＦは臀部側において、生理用ナプキン５０の横ズレと体液漏れを防止するためのものである。
【０００５】
前記生理用ナプキン５０を下着に装着するには、図１０に示されるように、先ず仮着されている剥離紙５９等をすべて剥がした後、生理用ナプキン５０を局所にあてがい、側方に突出する前記ウイング状フラップＷ、Ｗを下着より外に出し、ウイング状フラップＷ基端の折返し線ＲＬ、ＲＬにて折返し、下着３０のクロッチ部分を巻き込むようにしながら下着の股間部外面に貼着するようにする。
【０００６】
【発明が解決しようとする課題】
しかしながら、前記立体ギャザーＢＳを備えた生理用ナプキン５０の場合、身体への装着状態において、前記立体ギャザーＢＳが股間部との当接によって内方側（吸収体面側）に内倒れした状態となり、障壁としての機能を果たさないことがあったり、吸収体面積を覆うため十分な吸収エリアを確保できないことがあった。
【０００７】
また、前記生理用ナプキン５０は製品状態において、図８に示されるように、剥離紙５９を仮着したまま剥離紙と共にウイング状フラップＷ、Ｗがそれぞれ背側（非肌当接面側）に折り返された状態で包装材によって個装されているため、個装袋を開封し前記剥離紙５９を剥がした後、生理用ナプキン５０を下着に装着する際、ウイング状フラップＷ、Ｗに背側への折り癖が付いたままであると、手でいちいちウイング状フラップＷ、Ｗを拡げなければならないことが多かったとともに、ウイング状フラップＷ、Ｗの粘着剤層５７が本体バックシート５２に接着してしまい、これを剥離した際、本体バックシート５２の基材が伸びたり、破れたりしてナプキンが使用不能となることがあった。
【０００８】
そこで本発明の課題は、立体ギャザーを備えた吸収性物品において、身体への装着状態において、前記立体ギャザーが内方側に内倒れしないように、所定の起立状態に固定保持できるようにすることにある。
【０００９】
また、個装袋から吸収性物品を取り出し剥離紙を剥がした際、自動的にウイング状フラップが展開するようにするとともに、ウイング状フラップに形成された粘着剤層が吸収性物品本体の外面側に接着するのを防止することにある。
【００１０】
【課題を解決するための手段】
前記課題を解決するために請求項１に係る本発明として、透液性トップシートと、不透液性バックシートとの間に吸収体が介在され、かつ表面側両側部に弾性伸縮部材による収縮力によって表面側に起立する立体ギャザーが形成されるとともに、両側部にそれぞれウイング状フラップが形成された吸収性物品において、
前記立体ギャザーは、起立基端部から外方側に向かって起立し、中間部で内方側に向けて屈曲する略く字状の起立断面を成し、前記ウイング状フラップは、前記立体ギャザーの起立面外側であってかつ前記中間部屈曲点若しくはその近傍を基点として設けられていることを特徴とする吸収性物品が提供される。
【００１１】
上記請求項１記載の発明においては、ウイング状フラップは前記立体ギャザーの外面側であってかつ前記中間部屈曲点若しくはその近傍を基点として分岐するように設けられている。したがって、側方に突出する前記ウイング状フラップを下着より外に出し、ウイング状フラップ基端の折返し線にて折返し、下着のクロッチ部分を巻き込むようにしながら下着の股間部外面に貼着した装着状態時において、前記立体ギャザーはウイング状フラップから受ける外向き方向の作用力によって内倒れしないようにきっちりと保持されるようになり、起立する障壁部分によって体液の横漏れを確実に阻止するようになる。また、同時に立体ギャザーが吸収面を覆い隠すことが無くなる。
【００１２】
さらに、図４に示されるように、立体ギャザーの屈曲点から先の先端部分が丁度、上方向に立ち上がるようになるため、該立ち上がり部分により体液を確実に堰き止め、横漏れを確実に防止できるようになる。
【００１３】
また、個装袋から吸収性物品を取り出し剥離紙を剥がした際には、立体ギャザーの起立力に伴ってウイング状フラップが表面側に移動され自動的に拡がるとともに、ウイング状フラップに形成された粘着剤層が吸収性物品本体の外面側に接着するのを防止することができる。
【００１４】
請求項２に係る本発明として、前記立体ギャザーの弾性伸縮部材は、ウイング状フラップの基点位置若しくはその近傍位置に配設されているとともに、ウイング状フラップの基点位置よりも先端部側に少なくとも１以上配設されている請求項１記載の吸収性物品が提供される。
【００１５】
請求項２記載の発明のように、弾性伸縮部材をウイング状フラップの基点又はその近傍に配置することにより、この弾性伸縮部材の収縮力がウイング状フラップに直接伝わるため、ウイング状フラップをきっちりと展開させることができるようになる。
【００１６】
請求項３に係る本発明として、前記ウイング状フラップの基端部分に、吸収性物品長手方向に沿うエンボスが付与されている請求項１〜２いずれかに記載の吸収性物品が提供される。
【００１７】
本発明に係る吸収性物品の場合、立体ギャザーに配設された弾性伸縮部材の影響を受けてウイング状フラップにシワが出来易くなる。そこで、上記請求項３記載の発明においては、ウイング状フラップの基端部分に吸収性物品長手方向に沿うエンボスを付与することにより、シワの発生を抑制するようにした。
【００１８】
請求項４に係る本発明として、前記吸収性物品は製品状態において、前記ウイング状フラップの外面側に形成された粘着剤層を覆う剥離シートを仮着したまま、剥離シートと共にウイング状フラップがそれぞれ非肌当接面側に折り返された状態で包装材によって個装されている請求項１〜３いずれかに記載の吸収性物品が提供される。
【００１９】
【発明の実施の形態】
以下、本発明の実施の形態について図面を参照しながら詳述する。
【００２０】
図１は本発明に係る生理用ナプキン１の展開図であり、図２は図１のII−II線矢視図、図３は図１のIII−III線矢視図、図４は下着のクロッチ部分への装着状態を示す横断面図である。
【００２１】
前記生理用ナプキン１は、ポリエチレンシートなどからなる不透液性バックシート２と、経血やおりものなど（以下、まとめて体液という。）を速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも体液排出部Ｈから前後方向に所定の区間内において表面側に突出して設けられた左右一対の立体ギャザーＢＳ、ＢＳとから主に構成され、かつ前記吸収体４の周囲においては、その前後端縁部で前記不透液性バックシート２と透液性トップシート３との外縁部がホットメルトなどの接着剤やヒートシール等の接着手段によって接合され、またその両側縁部で吸収体４よりも側方に延出している前記不透液性バックシート２と、前記立体ギャザーＢＳを形成しているサイド不織布６の側方延在シート部分とがホットメルトなどの接着剤やヒートシール等の接着手段によって接合された構造を成し、前記立体ギャザーＢＳの外面側に内方端側が接合された別体の不織布シート７により、前記体液排出部Ｈの両側部にウイング状フラップＷ、Ｗが形成されているとともに、これよりも後方側に位置する部分にヒップホールド用フラップＨＦ、ＨＦが形成されている。
【００２２】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。また、非使用面側（外面）には複数条の粘着剤層１０、１０…（図２等に図示）が形成され、身体への装着時に生理用ナプキン１を下着に接着固定するようになっている。
【００２３】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には体液が速やかに吸収されるようになり、ドライタッチ性に優れたものとなる。
【００２４】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のため図示されるようにクレープ紙５によって囲繞するのが望ましい。透液性トップシート３面には、吸収体の保持、表面側にきっちりと膨出させる、および吸収した体液を封じ込める等のために複数のエンボス１４ａ〜１４ｃが付与されている。
【００２５】
一方、前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布６を用いて構成されている。このサイド不織布６は、経血やおりもの等の体液が側方に流出するのを防止するため、素材自体が撥水性を有するか、またはシリコン系、パラフィン系、アルキルクロミッククロリド系撥水剤などのコーティング等、適宜の撥水処理を施した不織布素材が用いられている。
【００２６】
前記サイド不織布６は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、前記サイド不織布６の内側部分はほぼ二重に折り返されるとともに、この二重シート内部には、その高さ方向の略１／２点に両端または長手方向の適宜の位置が固定された糸状弾性伸縮部材１２が配設されるとともに、この糸状弾性伸縮部材１２の上側部位に複数本の、図示例では２本の糸状弾性伸縮部材１３，１３が両端または長手方向の適宜の位置が固定された状態で配設されている。この二重シート部分は前後端部では図３に示されるように、断面Ｚ状に折り畳んで積層された状態で吸収体４側に接着されることによって、起立基端部から外方に向かって起立し、かつ前記糸状弾性伸縮部材１２配設部位を屈曲点として、内方に向けて屈曲する略く字状の起立断面を成し、内側に開口を向けたポケットを形成しながら表面側に起立する立体ギャザーＢＳ、ＢＳが形成されている。
【００２７】
前記立体ギャザーＢＳ、ＢＳに対しては、図２および図３に示されるように、立体ギャザーＢＳの起立面外側に内方端側が接合された別体の不織布シート７により、前記体液排出部Ｈの両側部にウイング状フラップＷ、Ｗが形成されているとともに、これよりも後方側に位置する部分にヒップホールド用フラップＨＦ、ＨＦが形成されている。すなわち、図２に示されるように、前記立体ギャザーＢＳの起立部位において、立体ギャザーＢＳの起立面外側に接着されるとともに、前記糸状弾性伸縮部材１２の配設部位、すなわち立体ギャザーＢＳの略中間屈曲点を基点として分岐するように側方に突出する前記不織布シート７の前部側部分７Ａにより、前記体液排出部Ｈの両側部にウイング状フラップＷ、Ｗが形成されている。また、これよりも後方側に位置する部分には、前記不織布シート７の後部側部分７Ｂの内方端側が立体ギャザーＢＳの同部位に接着されるとともに、その状態のまま折り畳むように積層され、側方に突出するヒップホールド用フラップＨＦ、ＨＦが形成されている。
【００２８】
前記ウイング状フラップＷ、Ｗの外面側にはそれぞれ粘着剤層８、８が形成されているとともに、前記ヒップホールド用フラップＨＦ、ＨＦの外面側にはそれぞれ粘着剤層９，９が形成されている。
【００２９】
前記立体ギャザーＢＳと不織布シート７との接合に当たっては、ホットメルト接着剤、超音波接合、エンボス接着等の方法が適宜採用されるが、接着性および操業性の点からはホットメルト接着剤が好ましい。また、前記立体ギャザーＢＳを形成するサイド不織布６とウイング状フラップＷを形成する不織布シート７との関係は、相対的に前記サイド不織布６の素材は目付量15〜30g/cm2程度の柔らかい素材を使用し、不織布シート７の素材は目付量30〜50g/cm2程度の高目付不織布とし比較的高い剛性を有する不織布を使用するのが望ましい。また、前記ウイング状フラップＷ及びヒップホールド用フラップＨＦを形成する素材は、前記不織布以外に、プラスチックシートや、不織布とプラスチックシートとを積層したラミネート不織布などを使用することもできる。
【００３０】
また、前記ウイング状フラップＷの基点は、後述するように、立体ギャザーＢＳの屈曲点またはその近傍とするのが望ましいが、前記屈曲点よりも下側部位または上側部位を基点として形成するようにしてもよい。また、前記ウイング状フラップＷの基端部分には、そのほぼ全幅に亘り生理用ナプキン１の長手方向に沿うエンボス１１を付与し、糸状弾性伸縮部材１２、１３により伸縮力の影響によってウイング状フラップＷにシワが形成されるのを防止するようにするのが望ましい。さらにウイング状フラップＷのシワを抑制するには、ウイング状フラップＷの基端近傍に配設される糸状弾性伸縮部材１２の収縮力を、先端側に配設される糸状弾性伸縮部材１３の収縮力よりも小さく設定することが効果的である。この場合は、前記糸状弾性伸縮部材１２の収縮力：糸状弾性伸縮部材１３の収縮力は、０．３：１〜０．７：１程度とするのが望ましい。
【００３１】
かかる生理用ナプキン１においては、図４に示されるように、生理用ナプキン１を局所にあてがい、側方に突出する前記ウイング状フラップＷ、Ｗを下着より外に出し、該フラップ基端にて折返し、下着のクロッチ部分２０を巻き込むようにしながら下着の股間部外面に貼着した装着状態においては、前記立体ギャザーＢＳはウイング状フラップＷ、Ｗから受ける外向き方向の作用力Ｆによって内倒れしないようにきっちりと保持されるようになる。そして、前記立体ギャザーＢＳはウイング状フラップＷの基点よりも先端側ギャザー部分が丁度、上方向に起立を示すようになり、この起立部分により体液を堰き止め横漏れを防止する。また、立体ギャザーＢＳが内倒れしないように固定保持されることにより吸収面を覆い隠すことも無くなる。
【００３２】
一方、前記生理用ナプキン１は製品状態において、前記ウイング状フラップＷ、Ｗの外面側に粘着剤層８、８を覆うように幅方向に横断する剥離紙等の剥離シートを仮着し、剥離シートを仮着したままウイング状フラップＷ、Ｗがそれぞれ背側（非肌当接面側）に折り返された状態で包装材によって個装される。
【００３３】
生理用ナプキン１を下着に装着するに当たり、個装袋から生理用ナプキン１を取出し、仮着されている剥離シートを剥がした際、ウイング状フラップＷは、立体ギャザーＢＳが糸状弾性伸縮部材１２，１３の収縮力によって起立しようとする力によって、ウイング状フラップＷが上方側（表面側）に移動するとともに、図２に示されるように、ウイング状フラップＷが自動的に展開するようになるため、使用者の手間を軽減することができるようになるとともに、ウイング状フラップＷの外面に形成された粘着剤層８、８が生理用ナプキン本体の外面側に接着するのを防止できるようになる。
【００３４】
ところで、上記生理用ナプキン１では、不織布シート７によってウイング状フラップＷと共に、ヒップホールド用フラップＨＦを形成したが、もちろんウイング状フラップＷのみを形成するようにしてもよい。
【００３５】
また、図５に示されるように、ウイング状フラップＷを立体ギャザーＢＳを形成しているサイド不織布６により連続的に形成することも可能である。すなわち、立体ギャザーＢＳを形成するサイド不織布６を、立体ギャザーＢＳの起立基端部から先端部までの間から外方側に延在させ、二層シート状のウイング状フラップＷを連続的に形成するとともに、ウイング状フラップＷの基点より上部側に前記サイド不織布６によって糸状弾性伸縮部材１２，１３…を内包した先端部ギャザーを形成している。
【００３６】
〔ウイング状フラップＷの参考的形成態様例〕
以下、図６〜図７に基づいて前記ウイング状フラップＷの参考的形成態様例について、立体ギャザーＢＳの形成態様との関係により述べる。
【００３７】
図６に示される第１の態様は、立体ギャザーＢＳを外向きに形成し、別体の不織布シート７により、前記立体ギャザーの外面側であってかつ起立基端部から先端部までの間を基点としてウイング状フラップＷを構成したものである。
【００３８】
図７に示される第２の態様は、サイド不織布６によってギャザー先端部に糸状弾性伸縮部材１５，１５を備えた平面部を有するとともに、中空状の立体ギャザーＢＳを形成し、かつこの立体ギャザーＢＳの起立面外側であってかつ起立基端部から先端部までの間を基点として、別体の不織布シート７によりウイング状フラップＷを形成したものである。
【００３９】
【発明の効果】
以上詳説のとおり本発明によれば、吸収性物品の装着状態において、前記立体ギャザーはウイング状フラップから受ける外向き方向の作用力によって内倒れしないようにきっちりと保持されるようになり、起立する障壁部分によって体液の横漏れを阻止するとともに、吸収面を覆い隠すことが無くなる。
【００４０】
また、個装袋から吸収性物品を取り出し剥離シートを剥がした際、自動的にウイング状フラップが展開するようになるとともに、ウイング状フラップに形成された粘着剤層が吸収性物品本体の外面側に接着するのを防止することができる。
【図面の簡単な説明】
【図１】  本発明に係る生理用ナプキン１の展開図である。
【図２】  その横断面図（図１のII−II線矢視図）である。
【図３】  その横断面図（図１のIII−III線矢視図）である。
【図４】  下着のクロッチ部分への装着状態を示す横断面図である。
【図５】  ウイング状フラップＷの変形例に係る形成態様図である。
【図６】  ウイング状フラップＷの参考的形成態様図（その１）である。
【図７】  ウイング状フラップＷの参考的形成態様図（その２）である。
【図８】  従来の生理用ナプキンの展開図である。
【図９】  その横断面図（図８のIX−IX線矢視図）である。
【図１０】  ナプキンの装着状態を示す斜視図である。
【符号の説明】
１…生理用ナプキン、２…不透液性バックシート、３…透液性トップシート、４…吸収体、５…クレープ紙、６…サイド不織布、７…不織布シート、ＢＳ…立体ギャザー、Ｗ…ウイング状フラップ、ＨＦ…ヒップホールド用フラップ
【図１】
0003994377.tif 000002
【図２】
0003994377.tif 000003
【図３】
0003994377.tif 000004
【図４】
0003994377.tif 000005
【図５】
0003994377.tif 000006
【図６】
0003994377.tif 000007
【図７】
0003994377.tif 000008
【図８】
0003994377.tif 000009
【図９】
0003994377.tif 000010
【図１０】
0003994377.tif 000011